(57)【要約】【課題】運転者にとってより有用な経路を算出するための情報を提供することが可能な経路処理プログラム、経路処理装置および経路処理方法を提供する。【解決手段】経路処理装置において用いられる経路処理プログラムは、コンピュータを、車両の出発地および目的地を示す目的情報を取得する取得部と、前記取得部によって取得された前記目的情報、および前記車両の運転者の走行履歴に基づいて、前記運転者の経路特性を算出する算出部と、前記算出部によって算出された前記経路特性に基づいて、前記車両の経路計算におけるポリシーを決定する決定部、として機能させるためのプログラムである。【選択図】図３
2018077207.tif 000002
【特許請求の範囲】
【請求項１】
経路処理装置において用いられる経路処理プログラムであって、
コンピュータを、
車両の出発地および目的地を示す目的情報を取得する取得部と、
前記取得部によって取得された前記目的情報、および前記車両の運転者の走行履歴に基づいて、前記運転者の経路特性を算出する算出部と、
前記算出部によって算出された前記経路特性に基づいて、前記車両の経路計算におけるポリシーを決定する決定部、
として機能させるための、経路処理プログラム。
【請求項２】
前記経路特性は、道路種別、走行環境、嗜好および日常習慣のうちの少なくともいずれか１つを含む、請求項１に記載の経路処理プログラム。
【請求項３】
前記取得部は、前記算出部によって算出された前記経路特性に基づいて前記目的地を算出する、請求項１または請求項２に記載の経路処理プログラム。
【請求項４】
前記経路処理装置は、さらに、
推奨経路を決定する経路計算部を備え、
前記経路計算部は、前記ポリシーの内容に応じた大きさの重みを用いて複数の候補経路の評価値を算出し、算出した各前記評価値に基づいて前記推奨経路を決定する処理、および前記経路特性に基づく経由地を含む前記推奨経路を決定する処理の少なくともいずれか一方を行う、請求項１から請求項３のいずれか１項に記載の経路処理プログラム。
【請求項５】
車両の出発地および目的地を示す目的情報を取得する取得部と、
前記取得部によって取得された前記目的情報、および前記車両の運転者の走行履歴に基づいて、前記運転者の経路特性を算出する算出部と、
前記算出部によって算出された前記経路特性に基づいて、前記車両の経路計算におけるポリシーを決定する決定部とを備える、経路処理装置。
【請求項６】
経路処理装置における経路処理方法であって、
車両の出発地および目的地を示す目的情報を取得するステップと、
取得した前記目的情報、および前記車両の運転者の走行履歴に基づいて、前記運転者の経路特性を算出するステップと、
算出した前記経路特性に基づいて、前記車両の経路計算におけるポリシーを決定するステップとを含む、経路処理方法。
【発明の詳細な説明】
【技術分野】
【０００１】
本発明は、経路処理プログラム、経路処理装置および経路処理方法に関する。
【背景技術】
【０００２】
従来、案内情報および推奨情報等をユーザに配信する種々のシステムが開発されている。このようなシステムの一例として、たとえば、特開２０１１−１００１８２号公報（特許文献１）には、以下のようなリコメンド情報配信システムが開示されている。すなわち、携帯端末を携行するユーザに対して、当該ユーザが所在するエリアにおけるリコメンド情報を配信するリコメンド情報配信システムであって、前記携帯端末は、当該携帯端末を携行するユーザの現在位置情報をあらかじめ定めた周期ごとに定期的に取得し、時系列の位置情報履歴として位置情報蓄積装置に蓄積するとともに、前記位置情報蓄積装置に蓄積されている過去の前記位置情報履歴に基づいて、当該ユーザの行動を示す行動パターンを分析し、分析した該行動パターンと前記現在位置情報とを、前記リコメンド情報を配信するリコメンド情報提供サーバに送信する行動パターン作成モジュールと、前記リコメンド情報提供サーバから配信されてくる前記リコメンド情報を出力して当該ユーザに提示する出力手段と、を備え、前記リコメンド情報提供サーバは、前記携帯端末から送信されてきた前記行動パターンと前記現在位置情報とに基づいて、当該ユーザが移動する可能性が高い移動エリアを推定し、現在所在するエリアにおけるリコメンド情報としてあらかじめ保有しているリコメンド情報の中から、少なくとも、推定した前記移動エリアに関して当該ユーザに対して提供すべき前記リコメンド情報を選択して、当該ユーザが携行する前記携帯端末に対して配信するリコメンドモジュールを備えている。
【先行技術文献】
【特許文献】
【０００３】
【特許文献１】特開２０１１−１００１８２号公報
【非特許文献】
【０００４】
【非特許文献１】青木  由希、外３名、”Ｅ−０３７  音声から疲労程度を推定するスマートフォン用アプリケーションの開発”、第１２回情報科学技術フォーラム、２０１３年９月、第２分冊、Ｐ．２６９
【非特許文献２】光吉  俊二、外２名、”音声感情認識技術ＳＴを使ったストレスへの応用”、日本疲労学会誌、２０１１年３月、第６巻、第２号、Ｐ．１９−２７
【発明の概要】
【発明が解決しようとする課題】
【０００５】
このような特許文献１に記載の技術を超えて、運転者にとってより有用な経路を算出するための技術が求められている。
【０００６】
この発明は、上述の課題を解決するためになされたもので、その目的は、運転者にとってより有用な経路を算出するための情報を提供することが可能な経路処理プログラム、経路処理装置および経路処理方法を提供することである。
【課題を解決するための手段】
【０００７】
（１）上記課題を解決するために、この発明のある局面に係わる経路処理プログラムは、経路処理装置において用いられる経路処理プログラムであって、コンピュータを、車両の出発地および目的地を示す目的情報を取得する取得部と、前記取得部によって取得された前記目的情報、および前記車両の運転者の走行履歴に基づいて、前記運転者の経路特性を算出する算出部と、前記算出部によって算出された前記経路特性に基づいて、前記車両の経路計算におけるポリシーを決定する決定部、として機能させるためのプログラムである。
【０００８】
（５）上記課題を解決するために、この発明のある局面に係わる経路処理装置は、車両の出発地および目的地を示す目的情報を取得する取得部と、前記取得部によって取得された前記目的情報、および前記車両の運転者の走行履歴に基づいて、前記運転者の経路特性を算出する算出部と、前記算出部によって算出された前記経路特性に基づいて、前記車両の経路計算におけるポリシーを決定する決定部とを備える。
【０００９】
（６）上記課題を解決するために、この発明のある局面に係わる経路処理方法は、経路処理装置における経路処理方法であって、車両の出発地および目的地を示す目的情報を取得するステップと、取得した前記目的情報、および前記車両の運転者の走行履歴に基づいて、前記運転者の経路特性を算出するステップと、算出した前記経路特性に基づいて、前記車両の経路計算におけるポリシーを決定するステップとを含む。
【００１０】
本発明は、このような特徴的な処理部を備える経路処理装置として実現することができるだけでなく、経路処理装置を備える経路処理システムとして実現することができる。また、本発明は、経路処理装置の一部または全部を実現する半導体集積回路として実現することができる。
【発明の効果】
【００１１】
本発明によれば、運転者にとってより有用な経路を算出するための情報を提供することができる。
【図面の簡単な説明】
【００１２】
【図１】図１は、本発明の第１の実施の形態に係る経路処理システムの構成を示す図である。
【図２】図２は、本発明の第１の実施の形態に係る経路処理システムにおける無線端末装置が作成するルート決定用パラメータ情報の一例を示す図である。
【図３】図３は、本発明の第１の実施の形態に係る経路処理システムにおける経路処理装置の構成を示す図である。
【図４】図４は、本発明の第１の実施の形態に係る経路処理装置において用いられるルートポリシーの一例を示す図である。
【図５】図５は、本発明の第１の実施の形態に係る経路処理装置における記憶部が保持する未加工走行履歴テーブルの一例を示す図である。
【図６】図６は、本発明の第１の実施の形態に係る経路処理装置における記憶部が保持する走行履歴テーブルの一例を示す図である。
【図７】図７は、本発明の第１の実施の形態に係る経路処理装置における記憶部が保持するドライバ嗜好テーブルの一例を示す図である。
【図８】図８は、本発明の第１の実施の形態に係る経路処理装置における記憶部が保持するルートポリシー判定用テーブルの一例を示す図である。
【図９】図９は、本発明の第１の実施の形態に係る経路処理装置における決定部が決定する推奨ルート決定用パラメータ情報の一例を示す図である。
【図１０】図１０は、本発明の第１の実施の形態に係る経路処理装置における決定部が決定する推奨ルート決定用パラメータ情報の一例を示す図である。
【図１１】図１１は、本発明の第１の実施の形態に係る経路処理装置における経路計算部が処理する各リンクの一例を示す図である。
【図１２】図１２は、本発明の第１の実施の形態に係る経路処理システムにおける各装置の動作の一例を示す図である。
【図１３】図１３は、本発明の第１の実施の形態に係る経路処理システムにおける各装置の動作の一例を示す図である。
【図１４】図１４は、本発明の第１の実施の形態に係る経路処理システムにおける各装置の動作の一例を示す図である。
【図１５】図１５は、本発明の第１の実施の形態に係る経路処理システムにおける各装置の動作の一例を示す図である。
【図１６】図１６は、本発明の第１の実施の形態に係る経路処理システムにおける経路処理装置が車両からのプローブ情報を処理する際の動作手順を定めたフローチャートである。
【図１７】図１７は、本発明の第１の実施の形態に係る経路処理システムにおける経路処理装置がナビゲーション情報の作成処理を行う際の動作手順を定めたフローチャートである。
【図１８】図１８は、本発明の第２の実施の形態に係る経路処理システムの構成を示す図である。
【図１９】図１９は、本発明の第２の実施の形態に係る経路処理システムにおける無線端末装置が作成するルート決定用パラメータ情報の一例を示す図である。
【図２０】図２０は、本発明の第２の実施の形態に係る経路処理システムにおける音声内容解析サーバにおいて行われる言語解析処理の概要を説明するための図である。
【図２１】図２１は、本発明の第２の実施の形態に係る経路処理システムにおける音声データ解析サーバにおいて行われる疲労度推定処理の概要を説明するための図である。
【図２２】図２２は、本発明の第２の実施の形態に係る経路処理システムにおける経路処理装置の構成を示す図である。
【図２３】図２３は、本発明の第２の実施の形態に係る経路処理装置における算出部が作成するドライバ傾向パラメータ情報の一例を示す図である。
【図２４】図２４は、本発明の第２の実施の形態に係る経路処理装置における記憶部が保持する発話内容傾斜係数表の一例を示す図である。
【図２５】図２５は、本発明の第２の実施の形態に係る経路処理装置における記憶部が保持する発話内容傾斜係数表の一例を示す図である。
【図２６】図２６は、本発明の第２の実施の形態に係る経路処理装置における記憶部が保持する状態感情傾斜係数表の一例を示す図である。
【図２７】図２７は、本発明の第２の実施の形態に係る経路処理装置における記憶部が保持する状態感情傾斜係数表の一例を示す図である。
【図２８】図２８は、本発明の第２の実施の形態に係る経路処理装置における決定部が作成する意向反映パラメータ情報の一例を示す図である。
【図２９】図２９は、本発明の第２の実施の形態に係る経路処理装置における決定部が作成する意向反映パラメータ情報の一例を示す図である。
【図３０】図３０は、本発明の第２の実施の形態に係る経路処理装置における決定部が作成する状態感情反映パラメータ情報の一例を示す図である。
【図３１】図３１は、本発明の第２の実施の形態に係る経路処理システムにおける経路処理装置がナビゲーション情報の作成処理を行う際の動作手順を定めたフローチャートである。
【発明を実施するための形態】
【００１３】
最初に、本発明の実施形態の内容を列記して説明する。
【００１４】
（１）本発明の実施の形態に係る経路処理プログラムは、経路処理装置において用いられる経路処理プログラムであって、コンピュータを、車両の出発地および目的地を示す目的情報を取得する取得部と、前記取得部によって取得された前記目的情報、および前記車両の運転者の走行履歴に基づいて、前記運転者の経路特性を算出する算出部と、前記算出部によって算出された前記経路特性に基づいて、前記車両の経路計算におけるポリシーを決定する決定部、として機能させるためのプログラムである。
【００１５】
このような構成により、運転者の過去の意向、過去の傾向または過去の固有の特性等を反映した経路特性に基づいて、運転者に適合するポリシーを決定することができる。これにより、たとえば、決定したポリシーに従うことで、運転者にとって有用な経路を算出することができる。したがって、運転者にとってより有用な経路を算出するための情報を提供することができる。
【００１６】
（２）好ましくは、前記経路特性は、道路種別、走行環境、嗜好および日常習慣のうちの少なくともいずれか１つを含む。
【００１７】
このような構成により、運転者の過去の意向、過去の傾向または過去の固有の特性等の経路特性への反映をより的確に行うことができる。
【００１８】
（３）好ましくは、前記取得部は、前記算出部によって算出された前記経路特性に基づいて前記目的地を算出する。
【００１９】
このような構成により、たとえば、運転者の過去のルート選択の傾向に基づいて目的地を自動的に算出することができるので、運転者が目的地を入力する負担を軽減することができる。
【００２０】
（４）好ましくは、前記経路処理装置は、さらに、推奨経路を決定する経路計算部を備え、前記経路計算部は、前記ポリシーの内容に応じた大きさの重みを用いて複数の候補経路の評価値を算出し、算出した各前記評価値に基づいて前記推奨経路を決定する処理、および前記経路特性に基づく経由地を含む前記推奨経路を決定する処理の少なくともいずれか一方を行う。
【００２１】
このような構成により、たとえば、候補経路の特性を示すパラメータがポリシーに対応して設定されている場合において、候補経路の特性とポリシーとのマッチングの程度を示す評価値を算出することで、運転者の過去の意向、過去の傾向または過去の固有の特性等に適合した推奨経路を決定することができる。また、たとえば、嗜好等を示す経路特性に基づく経由地を含む推奨経路を決定する構成により、運転者の嗜好に適合する経由地を含む推奨経路を提供することができる。
【００２２】
（５）本発明の実施の形態に係る経路処理装置は、車両の出発地および目的地を示す目的情報を取得する取得部と、前記取得部によって取得された前記目的情報、および前記車両の運転者の走行履歴に基づいて、前記運転者の経路特性を算出する算出部と、前記算出部によって算出された前記経路特性に基づいて、前記車両の経路計算におけるポリシーを決定する決定部とを備える。
【００２３】
このような構成により、運転者の過去の意向、過去の傾向または過去の固有の特性等を反映した経路特性に基づいて、運転者に適合するポリシーを決定することができる。これにより、たとえば、決定したポリシーに従うことで、運転者にとって有用な経路を算出することができる。したがって、運転者にとってより有用な経路を算出するための情報を提供することができる。
【００２４】
（６）本発明の実施の形態に係る経路処理方法は、経路処理装置における経路処理方法であって、車両の出発地および目的地を示す目的情報を取得するステップと、取得した前記目的情報、および前記車両の運転者の走行履歴に基づいて、前記運転者の経路特性を算出するステップと、算出した前記経路特性に基づいて、前記車両の経路計算におけるポリシーを決定するステップとを含む。
【００２５】
このような構成により、運転者の過去の意向、過去の傾向または過去の固有の特性等を反映した経路特性に基づいて、運転者に適合するポリシーを決定することができる。これにより、たとえば、決定したポリシーに従うことで、運転者にとって有用な経路を算出することができる。したがって、運転者にとってより有用な経路を算出するための情報を提供することができる。
【００２６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２７】
＜第１の実施の形態＞
［構成および基本動作］
図１は、本発明の第１の実施の形態に係る経路処理システムの構成を示す図である。
【００２８】
図１を参照して、経路処理システム３０１は、経路処理装置１０１と、無線端末装置１５１とを備える。
【００２９】
無線端末装置１５１は、たとえば、車両１に設けられるカーナビゲーション装置、または車両１の運転者が携帯するスマートホン等である。車両１は、たとえば、乗用車、バスまたはトラックである。
【００３０】
無線端末装置１５１は、たとえば、ＧＰＳ（Ｇｌｏｂａｌ  Ｐｏｓｉｔｉｏｎｉｎｇ  Ｓｙｓｔｅｍ）衛星からの電波に基づいて自己の車両１の位置を取得することが可能である。
【００３１】
たとえば、運転者は、ある出発地から目的地へ向かって車両１を運転しようとする状況において、ナビゲーションサービスを受けようとする場合、目的地を入力するための操作を無線端末装置１５１に対して行う。
【００３２】
無線端末装置１５１は、たとえば、運転者の自己への入力操作に基づいて、車両１の目的地を取得する。また、無線端末装置１５１は、たとえば、ＧＰＳ衛星からの電波に基づいて、車両１の出発地を特定する。
【００３３】
無線端末装置１５１は、特定した出発地、および取得した目的地を示す目的情報を作成する。
【００３４】
図２は、本発明の第１の実施の形態に係る経路処理システムにおける無線端末装置が作成するルート決定用パラメータ情報の一例を示す図である。
【００３５】
図２を参照して、無線端末装置１５１は、たとえば、運転者の音声を言語分析することが可能であり、分析結果に基づいて、運転者の現在の意向、現在の傾向および現在の固有の特性の少なくともいずれか１つを示すルート決定用パラメータ情報Ｐｒ１を作成する。
【００３６】
ルート決定用パラメータ情報Ｐｒ１は、たとえば、ドライバＩＤ、ならびに「早さ優先」、「安さ優先」、「エコ優先」、「分かりやすさ優先」、「乗り心地優先」、「安全優先」および「渋滞感緩和優先」の項目にそれぞれ対応する優先パラメータを含む。ここで、ドライバＩＤは、たとえば無線端末装置１５１のＩＤである。
【００３７】
より詳細には、無線端末装置１５１は、たとえば、運転者の音声を分析することにより当該音声の内容を取得し、取得した内容と各項目との相関の程度を算出する。
【００３８】
そして、無線端末装置１５１は、算出した相関の程度に基づき、かつ各優先パラメータの合計が１０になるように各優先パラメータを決定する。
【００３９】
具体的には、たとえば、運転者が無線端末装置１５１に対して「疲れているので事故が心配」と音声入力した場合、無線端末装置１５１は、運転者の音声の内容と相関を有する「乗り心地優先」および「安全優先」等の項目に対して、当該項目に対応する優先パラメータが大きくなりかつ合計が１０になるように各優先パラメータを決定する。
【００４０】
無線端末装置１５１は、ルート決定用パラメータ情報Ｐｒ１および目的情報を含むナビゲーション要求を経路処理装置１０１へ無線送信する。
【００４１】
また、無線端末装置１５１は、たとえば、車両１の走行時において、取得した位置、自己のＩＤおよび現在時刻を示すプローブ情報を定期的に作成し、作成したプローブ情報を経路処理装置１０１へ無線送信する。
【００４２】
なお、運転者は、ナビゲーションサービスを受けずに出発地から目的地へ向かって車両１を運転する場合、目的地を入力するための操作を無線端末装置１５１に対して行わない。この場合、無線端末装置１５１は、ナビゲーション要求を作成しないが、プローブ情報を定期的に経路処理装置１０１へ無線送信する。
【００４３】
［経路処理装置の構成］
図３は、本発明の第１の実施の形態に係る経路処理システムにおける経路処理装置の構成を示す図である。
【００４４】
図３を参照して、経路処理装置１０１は、取得部３１と、算出部３２と、経路計算部３３と、決定部３４と、記憶部３５と、送信部３６と、履歴登録部３７とを備える。
【００４５】
記憶部３５は、地図データを保持する。地図データには、道路種別、道幅、ＰＯＩ（Ｐｏｉｎｔ  Ｏｆ  Ｉｎｔｅｒｅｓｔ）、ＰＯＩの属性、リンクおよびコスト情報等が含まれる。コスト情報については後述する。
【００４６】
取得部３１は、目的情報を取得する。より詳細には、取得部３１は、無線端末装置１５１から目的情報を含むナビゲーション要求を受信すると、受信したナビゲーション要求を決定部３４および履歴登録部３７へ出力する。
【００４７】
また、取得部３１は、無線端末装置１５１からプローブ情報を受信すると、受信したプローブ情報を履歴登録部３７へ出力する。
【００４８】
図４は、本発明の第１の実施の形態に係る経路処理装置において用いられるルートポリシーの一例を示す図である。
【００４９】
図４を参照して、「ルートポリシー」には、「デフォルトルート」、「最速ルート」、「最安ルート」、「エコルート」、「分かり易さ優先ルート」、「乗り心地優先ルート」、「安全優先ルート」および「渋滞感緩和ルート」等が含まれる。
【００５０】
各「ルートポリシー」の「内容」は、たとえば、経路計算部３３によって「ルート決定に影響する主なパラメータ」に基づきながら算出される提案ルートの作成指針として用いられる。
【００５１】
図５は、本発明の第１の実施の形態に係る経路処理装置における記憶部が保持する未加工走行履歴テーブルの一例を示す図である。
【００５２】
図５を参照して、未加工走行履歴テーブルＴｂｌ１には、走行した「日時」、「出発地」、「目的地」、「選択ルートポリシー」、「提案ルート」および「実走行ルート」の項目についての情報が、「ドライバＩＤ」ごとに含まれる。
【００５３】
履歴登録部３７は、たとえば、取得部３１からナビゲーション要求を受けるごとに、ナビゲーション要求および対応のプローブ情報に基づいて、「ドライバＩＤ」、「日時」、「出発地」、「目的地」、「選択ルートポリシー」、「提案ルート」および「実走行ルート」の項目についての情報を未加工走行履歴テーブルＴｂｌ１に登録する。
【００５４】
より詳細には、履歴登録部３７は、ナビゲーション要求に含まれるドライバＩＤ、出発地および目的地を、未加工走行履歴テーブルＴｂｌ１における「ドライバＩＤ」、「出発地」および「目的地」の項目にそれぞれ対応する欄に書き込む。
【００５５】
また、履歴登録部３７は、対応のプローブ情報に基づいて、無線端末装置１５１が移動した経路および日時を算出し、算出した経路および日時を、未加工走行履歴テーブルＴｂｌ１における「実走行ルート」および「日時」の項目にそれぞれ対応する欄に書き込む。
【００５６】
また、履歴登録部３７は、決定部３４によって決定されたルートポリシーを、「選択ルートポリシー」の項目に対応する欄に書き込む。
【００５７】
また、履歴登録部３７は、経路計算部３３によって算出された推奨経路を、「提案ルート」の項目に対応する欄に書き込む。
【００５８】
また、たとえば、運転者がナビゲーションサービスを受けずに出発地から目的地へ向かって車両１を運転する場合、履歴登録部３７は、取得部３１からナビゲーション要求を受けないが、プローブ情報を受ける。この場合、決定部３４は、ルートポリシーを決定しない。また、経路計算部３３は、提案ルートを算出しない。
【００５９】
このような場合、履歴登録部３７は、プローブ情報に基づいて、「ドライバＩＤ」、「日時」、「出発地」、「目的地」および「実走行ルート」の項目についての情報を未加工走行履歴テーブルＴｂｌ１に登録する。また、履歴登録部３７は、「選択ルートポリシー」および「提案ルート」の項目にそれぞれ対応する欄に「−」を書き込む。
【００６０】
図６は、本発明の第１の実施の形態に係る経路処理装置における記憶部が保持する走行履歴テーブルの一例を示す図である。
【００６１】
図６を参照して、算出部３２は、取得部３１によって取得された目的情報、および車両１の運転者の走行履歴に基づいて、運転者の経路特性を算出する。
【００６２】
詳細には、算出部３２は、たとえば、記憶部３５が保持する未加工走行履歴テーブルＴｂｌ１および地図データに基づいて、経路特性の一例である走行履歴テーブルＴｂｌ２を作成する。ここで、走行履歴テーブルＴｂｌ２は、たとえば、道路種別、走行環境、嗜好および日常習慣を含む。
【００６３】
より詳細には、算出部３２は、たとえば、記憶部３５における未加工走行履歴テーブルＴｂｌ１を監視し、未加工走行履歴テーブルＴｂｌ１に新たな情報が登録されると、登録された新たな情報を分析し、分析結果を走行履歴テーブルＴｂｌ２に書き込む。
【００６４】
具体的には、算出部３２は、たとえば、走行履歴テーブルＴｂｌ２における「ドライバＩＤ」、「日時」、「選択ルートポリシー」、「出発地」、「目的地」、「提案ルート」および「実走行ルート」の項目にそれぞれ対応する欄には、未加工走行履歴テーブルＴｂｌ１における対応の欄の内容をコピーする。
【００６５】
算出部３２は、実走行ルートおよび地図データに基づいて１または複数の経由地の特定を試みる。この経由地は、たとえばＰＯＩである。算出部３２は、経由地を特定できた場合、特定した経由地を「経由地１」等の項目に対応する欄に書き込む。
【００６６】
算出部３２は、未加工走行履歴テーブルＴｂｌ１における「選択ルートポリシー」に対応する欄の内容が「−」である場合、運転者が実際に走行した経路すなわち「実走行ルート」に対応する欄の内容がどのルートポリシーに近いかを導出するとともに、その理由を作成する。
【００６７】
そして、算出部３２は、導出したルートポリシーを「選択ポリシー」の項目に対応する欄に括弧を付して書き込む。また、算出部３２は、「提案ルート通りに走行」および「理由」の項目にそれぞれ対応する欄に「−」、および作成した理由を書き込む。
【００６８】
一方、算出部３２は、未加工走行履歴テーブルＴｂｌ１における「選択ルートポリシー」に対応する欄の内容が「−」でない場合、たとえば、「提案ルート」および「実走行ルート」に対応する各欄の内容を比較し、比較結果に基づいて、運転者が提案ルート通りに走行したか否かを確認する。
【００６９】
算出部３２は、運転者が提案ルート通りに走行した場合、走行履歴テーブルＴｂｌ２における「提案ルート通りに走行」および「理由」の項目にそれぞれ対応する欄に「○」および「−」を書き込む。
【００７０】
一方、算出部３２は、運転者が提案ルート通りに走行しなかった場合、運転者が実際に走行した経路がどのルートポリシーに相当するかを導出するとともに、その理由を作成する。
【００７１】
そして、算出部３２は、走行履歴テーブルＴｂｌ２における「提案ルート通りに走行」に対応する欄に、導出したルートポリシーを括弧を付して書き込むとともに「×」を書き込む。また、算出部３２は、「理由」の項目に対応する欄に作成した理由を書き込む。
【００７２】
走行履歴テーブルＴｂｌ２において、たとえば、「提案ルート」および「実走行ルート」にそれぞれ対応する各欄の内容、および地図データに基づいて、道路種別および走行環境を認識することが可能である。
【００７３】
なお、運転者が走行した日時における天気を示す天候情報を走行履歴テーブルＴｂｌ２に含めてもよい。これにより、走行環境をより詳細に認識することが可能となる。
【００７４】
また、たとえば、「ドライバＩＤ」および「日時」に対応する各欄の内容に基づいて、運転者が日常的に移動する時間帯を取得することができる。これにより、運転者の日常的な走行ルートおよび経由地等を日常習慣として認識することが可能である。
【００７５】
図７は、本発明の第１の実施の形態に係る経路処理装置における記憶部が保持するドライバ嗜好テーブルの一例を示す図である。
【００７６】
図７を参照して、算出部３２は、たとえば、走行履歴テーブルＴｂｌ２に基づいて、運転者ごとの嗜好を示すドライバ嗜好テーブルＴｂｌ３を作成する。
【００７７】
より詳細には、算出部３２は、たとえば、走行履歴テーブルＴｂｌ２を分析することによりドライバ嗜好テーブルＴｂｌ３を作成する。
【００７８】
具体的には、たとえば、算出部３２は、走行履歴テーブルＴｂｌ２における「日時」、「目的地」および「経由地」等の項目に対応する各欄の内容をドライバＩＤごとに集計し、集計結果に基づいて各運転者の嗜好を抽出する。そして、算出部３２は、抽出した各運転者の嗜好をドライバ嗜好テーブルＴｂｌ３に書き込む。
【００７９】
図８は、本発明の第１の実施の形態に係る経路処理装置における記憶部が保持するルートポリシー判定用テーブルの一例を示す図である。
【００８０】
図８を参照して、算出部３２は、たとえば、走行履歴テーブルＴｂｌ２に基づいて、運転者ごとのルート選択の傾向を示すルートポリシー判定用テーブルＴｂｌ４を作成する。
【００８１】
より詳細には、算出部３２は、たとえば、走行履歴テーブルＴｂｌ２を分析することにより、運転者の過去の意向、過去の傾向および過去の固有の特性の少なくともいずれか１つを運転者ごとに示すルートポリシー判定用テーブルＴｂｌ４を作成する。
【００８２】
具体的には、算出部３２は、たとえば、走行履歴テーブルＴｂｌ２における「提案ルート」、「提案ルート通りに走行」、および「理由」の項目等に対応する各欄の内容に基づいて、提案ルート、および提案ルートを拒否した理由等をドライバＩＤごとに集計し、集計結果に基づいて各運転者のルート選択の傾向を抽出する。
【００８３】
そして、算出部３２は、抽出した各運転者のルート選択の傾向を、「早さ優先」、「安さ優先」、「エコ優先」、「分かりやすさ優先」、「乗り心地優先」、「安全優先」および「渋滞感緩和優先」にそれぞれ対応する判定用パラメータによって定量化する。この定量化において、算出部３２は、たとえば、各判定用パラメータの合計が１０になるように当該各判定用パラメータを決定する。算出部３２は、決定した各判定用パラメータをルートポリシー判定用テーブルＴｂｌ４に書き込む。
【００８４】
なお、算出部３２は、ルートポリシー判定用テーブルＴｂｌ４を日種、時間帯または利用シーンごとに作成してもよい。これにより、運転者により適した提案ルートを導出することができる。
【００８５】
再び図３を参照して、決定部３４は、算出部３２によって算出された経路特性に基づいて、車両１の経路計算におけるルートポリシーを決定する。
【００８６】
詳細には、決定部３４は、たとえば、取得部３１からナビゲーション要求を受けると、受けたナビゲーション要求、および記憶部３５における走行履歴テーブルＴｂｌ２に基づいてルートポリシーを決定する。
【００８７】
より詳細には、決定部３４は、ナビゲーション要求からドライバＩＤ（以下、対象ＩＤとも称する。）、ルート決定用パラメータ情報Ｐｒ１および目的情報を取得する。
【００８８】
決定部３４は、取得したルート決定用パラメータ情報Ｐｒ１に基づいて、ルートポリシー判定用テーブルＴｂｌ４を参照すべきか否かを判定する。
【００８９】
より詳細には、決定部３４は、ルート決定用パラメータ情報Ｐｒ１に含まれる各優先パラメータのうちのいずれか１つが１０である場合、ルートポリシー判定用テーブルＴｂｌ４を参照すべきでないと判定する。
【００９０】
そして、決定部３４は、ルート決定用パラメータ情報Ｐｒ１と同じ内容の推奨ルート決定用パラメータ情報Ｐｒ３を作成する。
【００９１】
一方、決定部３４は、ルート決定用パラメータ情報Ｐｒ１に含まれる各優先パラメータのうちのいずれもが１０でない場合、ルートポリシー判定用テーブルＴｂｌ４を参照すべきと判定する。
【００９２】
そして、決定部３４は、ルートポリシー判定用テーブルＴｂｌ４を用いて推奨ルート決定用パラメータ情報Ｐｒ３を作成する。
【００９３】
より詳細には、決定部３４は、たとえば、記憶部３５におけるルートポリシー判定用テーブルＴｂｌ４から、対象ＩＤの各判定用パラメータを取得する。
【００９４】
図９および図１０は、本発明の第１の実施の形態に係る経路処理装置における決定部が決定する推奨ルート決定用パラメータ情報の一例を示す図である。
【００９５】
図９および図１０を参照して、決定部３４は、ルート決定用パラメータ情報Ｐｒ１、および取得した各判定用パラメータに基づいて推奨ルート決定用パラメータ情報Ｐｒ２を作成する。
【００９６】
より詳細には、決定部３４は、ルート決定用パラメータ情報Ｐｒ１に含まれる優先パラメータに対して、対応の項目の判定用パラメータを重みとして印加することにより決定用パラメータを算出する。
【００９７】
具体的には、決定部３４は、たとえば、図２に示す優先パラメータ、および図８に示す「ドライバＩＤ＝１」に対応する判定用パラメータにおいて、同じ項目のパラメータ同士を乗算することにより推奨ルート決定用パラメータ情報Ｐｒ２を作成する。
【００９８】
算出部３２は、たとえば、推奨ルート決定用パラメータ情報Ｐｒ２の各決定用パラメータの合計が１０になるように当該各決定用パラメータの値を変換する規格化を行うことにより推奨ルート決定用パラメータ情報Ｐｒ３を作成する。
【００９９】
また、決定部３４は、記憶部３５におけるドライバ嗜好テーブルＴｂｌ３から、対象ＩＤの「嗜好」をドライバ嗜好情報として取得する。
【０１００】
決定部３４は、推奨ルート決定用パラメータ情報Ｐｒ３、目的情報およびドライバ嗜好情報を経路計算部３３へ出力する。
【０１０１】
また、決定部３４は、推奨ルート決定用パラメータ情報Ｐｒ３を履歴登録部３７へ出力する。
【０１０２】
履歴登録部３７は、決定部３４から推奨ルート決定用パラメータ情報Ｐｒ３を受けると、受けた推奨ルート決定用パラメータ情報Ｐｒ３に基づいて、決定部３４によって決定されたルートポリシー（以下、決定ルートポリシーとも称する。）を取得する。
【０１０３】
この例では、履歴登録部３７は、推奨ルート決定用パラメータ情報Ｐｒ３に含まれる各決定用パラメータのうち、最も値の大きい決定用パラメータに対応する項目を決定ルートポリシーとして取得する。
【０１０４】
たとえば、履歴登録部３７は、図１０に示す推奨ルート決定用パラメータ情報Ｐｒ３から「安全優先」を決定ルートポリシーとして取得する。
【０１０５】
履歴登録部３７は、上述したように、取得した決定ルートポリシーを未加工走行履歴テーブルＴｂｌ１（図５参照）における「選択ルートポリシー」の項目に対応する欄に書き込む。
【０１０６】
図１１は、本発明の第１の実施の形態に係る経路処理装置における経路計算部が処理する各リンクの一例を示す図である。
【０１０７】
図１１には、出発地Ａと目的地Ｉとの間に位置するリンクＬｋ１〜Ｌｋ１２が示される。各リンクには、設定コストがルートポリシー（図４参照）ごとに割り当てられている。この例では、設定コストの値が大きいほど、対応のルートポリシーが経路計算に反映されやすくなっている。
【０１０８】
記憶部３５における地図データに含まれるコスト情報は、各リンクにおけるルートポリシーごとの設定コストを示す。
【０１０９】
図１１を参照して、経路計算部３３は、推奨経路を決定する、より詳細には、たとえば、ルートポリシーの内容に応じた大きさの重みを用いて複数の候補経路の評価値を算出し、算出した評価値に基づいて推奨経路を決定する決定処理Ｐ１、および経路特性に基づく経由地を含む推奨経路を決定する決定処理Ｐ２を行う。
【０１１０】
より詳細には、経路計算部３３は、決定部３４から推奨ルート決定用パラメータ情報Ｐｒ３、目的情報およびドライバ嗜好情報を受けると、目的情報および地図データに基づいて、出発地Ａから目的地Ｉまでの複数の候補経路を導出する。これらの候補経路は、たとえば、リンクＬｋ１→リンクＬｋ２→リンクＬｋ５→リンクＬｋ１０等のように、リンクによって指定される。
【０１１１】
経路計算部３３は、推奨ルート決定用パラメータ情報Ｐｒ３およびコスト情報に基づいて、候補経路の評価値の一例としてコストを候補経路ごとに算出する。
【０１１２】
具体的には、経路計算部３３は、たとえば、リンクＬｋ１→リンクＬｋ２→リンクＬｋ５→リンクＬｋ１０によって指定される候補経路Ｒｔ１については、リンクＬｋ１のコスト、リンクＬｋ２のコスト、リンクＬｋ５のコスト、およびリンクＬｋ１０のコストの和を候補経路Ｒｔ１のコストとして算出する。
【０１１３】
より詳細には、経路計算部３３は、リンクＬｋ１のコストを以下のように算出する。すなわち、経路計算部３３は、たとえば、リンクＬｋ１における設定コストに対して、推奨ルート決定用パラメータ情報Ｐｒ３に含まれる対応のルートポリシーの決定用パラメータを重みとして印加することにより、リンクＬｋ１のコストを算出する。
【０１１４】
具体的には、経路計算部３３は、たとえば、図１１に示すリンクＬｋ１の設定コスト、および図１０に示す「ドライバＩＤ＝１」の決定用パラメータにおいて、同じルートポリシーの値同士を乗算し、乗算結果の合計をリンクＬｋ１のコストとして算出する。
【０１１５】
より具体的には、経路計算部３３は、たとえば、１×２、１×０、３×０、５×３、５×０、１×５および２×０の合計すなわち２＋０＋０＋１５＋０＋５＋０＝２２をリンクＬｋ１のコストとして算出する。
【０１１６】
経路計算部３３は、リンクＬｋ２のコスト、リンクＬｋ５のコスト、およびリンクＬｋ１０のコストついても同様に算出し、候補経路Ｒｔ１のコストを算出する。
【０１１７】
経路計算部３３は、候補経路Ｒｔ１と異なる候補経路のコストを同様に算出し、算出結果に基づいて、出発地Ａから目的地Ｉまでの複数の候補経路をコストの上位順に並べる。
【０１１８】
そして、経路計算部３３は、コストの上位順に並べた複数の候補経路から、上位から所定順位以内の候補経路（以下、上位経路とも称する。）を選択する。
【０１１９】
経路計算部３３は、地図データおよびドライバ嗜好情報に基づいて、選択した各上位経路において、ドライバ嗜好情報の示す運転者の「嗜好」に沿ったＰＯＩ（以下、嗜好ＰＯＩとも称する。）が上位経路の近辺に位置するか否かを確認する。
【０１２０】
経路計算部３３は、上位経路の近辺において嗜好ＰＯＩが位置しない場合、コストが最も上位の上位経路を推奨経路として決定する。
【０１２１】
一方、経路計算部３３は、上位経路の近辺において嗜好ＰＯＩが位置する場合、嗜好ＰＯＩが近辺に位置する上位経路を推奨経路として決定する。
【０１２２】
経路計算部３３は、決定した推奨経路を示す推奨経路情報を履歴登録部３７へ出力する。また、経路計算部３３は、推奨経路情報、ならびに当該推奨経路を決定した理由およびコメント等を示す発話情報を含むナビゲーション情報を送信部３６へ出力する。発話情報の内容については後述する。
【０１２３】
履歴登録部３７は、経路計算部３３から推奨経路情報を受けると、上述したように、受けた推奨経路情報の示す推奨経路を未加工走行履歴テーブルＴｂｌ１（図５参照）における「提案ルート」の項目に対応する欄に書き込む。
【０１２４】
送信部３６は、経路計算部３３からナビゲーション情報を受けると、受けたナビゲーション情報を無線端末装置１５１へ無線送信する。
【０１２５】
なお、本発明の第１の実施の形態に係る経路処理システムでは、無線端末装置１５１が、ルート決定用パラメータ情報Ｐｒ１を作成する構成であるとしたが、これに限定するものではない。経路処理装置１０１が、ルート決定用パラメータ情報Ｐｒ１を作成する構成であってもよい。
【０１２６】
より詳細には、たとえば、無線端末装置１５１は、運転者の音声を認識し、認識結果に基づいて、運転者の音声を示すテキストデータを含むテキスト情報を作成する。そして、無線端末装置１５１は、作成したテキスト情報を経路処理装置１０１へ送信する。
【０１２７】
経路処理装置１０１における決定部３４は、たとえば、無線端末装置１５１から取得部３１経由でテキスト情報を受信すると、受信したテキスト情報に含まれるテキストデータの内容を分析し、分析結果に基づいてルート決定用パラメータ情報Ｐｒ１を作成する。
【０１２８】
また、無線端末装置１５１が、運転者の音声を示す音声情報を経路処理装置１０１へ送信してもよい。この場合、経路処理装置１０１における決定部３４は、たとえば、無線端末装置１５１から取得部３１経由で音声情報を受信すると、受信した音声情報に基づいて、運転者の音声を示すテキストデータ作成する。そして、決定部３４は、上述のように、作成したテキストデータを用いてルート決定用パラメータ情報Ｐｒ１を作成する。
【０１２９】
［具体例その１］
図１２〜図１５は、本発明の第１の実施の形態に係る経路処理システムにおける各装置の動作の一例を示す図である。
【０１３０】
図１２を参照して、上述したように、たとえば、運転者が無線端末装置１５１に対して「疲れているので事故が心配」と音声入力した場合、無線端末装置１５１は、運転者の音声の内容に応じた各優先パラメータを決定する。
【０１３１】
無線端末装置１５１は、決定した各優先パラメータを含むルート決定用パラメータ情報Ｐｒ１、および目的情報を含むナビゲーション要求を経路処理装置１０１へ無線送信する。
【０１３２】
経路処理装置１０１は、ナビゲーション要求を無線端末装置１５１から受信すると、受信したナビゲーション要求に従ってナビゲーション情報を作成し、作成したナビゲーション情報を無線端末装置１５１へ無線送信する。
【０１３３】
無線端末装置１５１は、経路処理装置１０１からナビゲーション情報を受信すると、受信したナビゲーション情報に含まれる推奨経路情報の示す推奨経路を画面に表示するとともに、ナビゲーション情報に含まれる発話情報の示す内容を発話することにより、経路処理装置１０１によって提案された提案ルート、ならびに決定理由およびコメントを運転者に提示する。
【０１３４】
具体的には、無線端末装置１５１は、決定理由およびコメントとして、発話情報に基づいて「信号数および交通量が少なく、住宅街を通過しない安全優先ルートで設定しました。」と発話する。
【０１３５】
［具体例その２］
図１３を参照して、たとえば、運転者が無線端末装置１５１に対して「早く帰りたい。」と音声入力した場合、無線端末装置１５１は、運転者の音声の内容と相関を有する「早さ優先」等の項目に対して、当該項目に対応する優先パラメータが大きくなりかつ合計が１０になるように各優先パラメータを決定する。
【０１３６】
無線端末装置１５１は、ナビゲーション要求を経路処理装置１０１へ無線送信し、当該ナビゲーション要求の応答としてナビゲーション情報を経路処理装置１０１から受信すると、受信したナビゲーション情報に含まれる推奨経路情報の示す推奨経路を画面に表示するとともに、ナビゲーション情報に含まれる発話情報の示す内容を発話する。
【０１３７】
具体的には、無線端末装置１５１は、決定理由およびコメントとして、発話情報に基づいて「いつものルートより２０分早く着く最速ルートで設定しました。」と発話する。
【０１３８】
なお、経路処理装置１０１における経路計算部３３は、たとえば、運転者が最安ルートをいつも選択して走行している場合、最速ルートではないが、いつもより早くかつ料金の低いルートを推奨経路として算出する機能を有してもよい。
【０１３９】
［具体例その３］
図１４を参照して、たとえば、運転者が無線端末装置１５１に対して「初めて行く場所なのでよく分からない。」と音声入力した場合、無線端末装置１５１は、運転者の音声の内容と相関を有する「分かり易さ優先」等の項目に対して、当該項目に対応する優先パラメータが大きくなりかつ合計が１０になるように各優先パラメータを決定する。
【０１４０】
無線端末装置１５１は、ナビゲーション要求を経路処理装置１０１へ無線送信し、当該ナビゲーション要求の応答としてナビゲーション情報を経路処理装置１０１から受信すると、受信したナビゲーション情報に含まれる推奨経路情報の示す推奨経路を画面に表示するとともに、ナビゲーション情報に含まれる発話情報の示す内容を発話する。
【０１４１】
具体的には、無線端末装置１５１は、決定理由およびコメントとして、発話情報に基づいて「ランドマークＡの手前を右折するだけの分かり易さ優先ルートで設定しました。」と発話する。
【０１４２】
なお、経路計算部３３は、たとえば、目的地の属性に応じて、運転者の嗜好を考慮したＰＯＩの近辺を通過するルートを推奨経路として算出する機能を有してもよい。具体的には、経路計算部３３は、たとえば、テニス好きな運転者の目的地がテニス場である場合、テニス用具店の近辺を通過するルートを推奨経路として算出する。
【０１４３】
［具体例その４］
図１５を参照して、たとえば、運転者が無線端末装置１５１に対して「気分が悪い。」と音声入力した場合、無線端末装置１５１は、運転者の音声の内容と相関を有する「乗り心地優先」等の項目に対して、当該項目に対応する優先パラメータが大きくなりかつ合計が１０になるように各優先パラメータを決定する。
【０１４４】
無線端末装置１５１は、ナビゲーション要求を経路処理装置１０１へ無線送信し、当該ナビゲーション要求の応答としてナビゲーション情報を経路処理装置１０１から受信すると、受信したナビゲーション情報に含まれる推奨経路情報の示す推奨経路を画面に表示するとともに、ナビゲーション情報に含まれる発話情報の示す内容を発話する。
【０１４５】
具体的には、無線端末装置１５１は、決定理由およびコメントとして、発話情報に基づいて「揺れが少なく交通量も少ない乗り心地優先ルートで設定しました。」と発話する。
【０１４６】
なお、経路計算部３３は、たとえば、推奨ルート決定用パラメータ情報Ｐｒ３における「乗り心地優先」の項目の決定用パラメータが所定値以上である場合、不測の事態に備えて、病院の近辺を通過するルートを推奨経路として算出してもよい。
【０１４７】
［他の具体例］
経路計算部３３は、たとえば、運転者の嗜好がトラック等の車高の高い車に対してストレスを感じることである場合、同じ渋滞の程度であるなら車高の高い車の少ないルートを推奨経路として算出する。
【０１４８】
また、経路計算部３３は、たとえば、車両１の走行に用いるエネルギーの残量に基づいて、推奨経路を決定する。具体的には、経路計算部３３は、たとえば、運転者の運転する車両１が電気自動車等である場合、目的地までに蓄電スタンドの近辺を通過するルートを推奨経路として算出する。
【０１４９】
［動作の流れ］
経路処理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１５０】
図１６は、本発明の第１の実施の形態に係る経路処理システムにおける経路処理装置が車両からのプローブ情報を処理する際の動作手順を定めたフローチャートである。
【０１５１】
図１６を参照して、まず、経路処理装置１０１は、車両１における無線端末装置１５１からプローブ情報を受信するか、またはたとえば１日に１回の作成タイミングが到来するまで待機する（ステップＳ１０２でＮＯおよびステップＳ１０４でＮＯ）。
【０１５２】
そして、経路処理装置１０１は、プローブ情報を無線端末装置１５１から受信すると（ステップＳ１０２でＹＥＳ）、受信したプローブ情報を蓄積する（ステップＳ１０８）。
【０１５３】
次に、経路処理装置１０１は、新たなプローブ情報を受信するか、または作成タイミングが到来するまで待機する（ステップＳ１０２でＮＯおよびステップＳ１０４でＮＯ）。
【０１５４】
そして、経路処理装置１０１は、作成タイミングが到来すると（ステップＳ１０２でＮＯおよびステップＳ１０４でＹＥＳ）、ナビゲーション要求、および蓄積したプローブ情報に基づいて未加工走行履歴テーブルＴｂｌ１を作成する（ステップＳ１１０）。
【０１５５】
次に、経路処理装置１０１は、作成した未加工走行履歴テーブルＴｂｌ１および地図データに基づいて、走行履歴テーブルＴｂｌ２を作成する（ステップＳ１１２）。
【０１５６】
次に、経路処理装置１０１は、作成した走行履歴テーブルＴｂｌ２を分析することによりドライバ嗜好テーブルＴｂｌ３を作成する（ステップＳ１１４）。
【０１５７】
次に、経路処理装置１０１は、作成した走行履歴テーブルＴｂｌ２を分析することによりルートポリシー判定用テーブルＴｂｌ４を作成する（ステップＳ１１６）。
【０１５８】
次に、経路処理装置１０１は、プローブ情報を受信するか、または新たな作成タイミングが到来するまで待機する（ステップＳ１０２でＮＯおよびステップＳ１０４でＮＯ）。
【０１５９】
なお、上記ステップＳ１１４およびＳ１１６の順番は、上記に限らず、順番を入れ替えてもよい。
【０１６０】
また、上記ステップＳ１１０〜Ｓ１１６における各テーブルの作成処理は、所定の更新タイミングにおいて行う構成に限らず、任意のタイミングで行う構成であってもよい。
【０１６１】
図１７は、本発明の第１の実施の形態に係る経路処理システムにおける経路処理装置がナビゲーション情報の作成処理を行う際の動作手順を定めたフローチャートである。
【０１６２】
図１７を参照して、まず、経路処理装置１０１は、車両１における無線端末装置１５１からナビゲーション要求を受信するまで待機する（ステップＳ２００でＮＯ）。
【０１６３】
そして、経路処理装置１０１は、ナビゲーション要求を無線端末装置１５１から受信すると（ステップＳ２００でＹＥＳ）、受信したナビゲーション要求に含まれるルート決定用パラメータ情報Ｐｒ１に基づいて、ルートポリシー判定用テーブルＴｂｌ４を参照すべきか否かを判定する（ステップＳ２０２）。
【０１６４】
経路処理装置１０１は、ルートポリシー判定用テーブルＴｂｌ４を参照すべきと判定した場合（ステップＳ２０２でＹＥＳ）、対象のドライバＩＤの各判定用パラメータをルートポリシー判定用テーブルＴｂｌ４から取得する（ステップＳ２０４）。
【０１６５】
次に、経路処理装置１０１は、取得した各判定用パラメータを、ルート決定用パラメータ情報Ｐｒ１に含まれる優先パラメータに対する重みとして用いることにより、推奨ルート決定用パラメータ情報Ｐｒ２を作成する（ステップＳ２０６）。
【０１６６】
次に、経路処理装置１０１は、推奨ルート決定用パラメータ情報Ｐｒ２に含まれる各決定用パラメータを規格化することにより、推奨ルート決定用パラメータ情報Ｐｒ３を作成する（ステップＳ２０８）。
【０１６７】
一方、経路処理装置１０１は、ルートポリシー判定用テーブルＴｂｌ４を参照すべきでないと判定した場合（ステップＳ２０２でＮＯ）、ルート決定用パラメータ情報Ｐｒ１と同じ内容を有する推奨ルート決定用パラメータ情報Ｐｒ３を作成する（ステップＳ２１０）。
【０１６８】
次に、経路処理装置１０１は、推奨ルート決定用パラメータ情報Ｐｒ３を作成すると（ステップＳ２０８およびＳ２１０）、推奨ルート決定用パラメータ情報Ｐｒ３、目的情報、ドライバ嗜好情報および地図データに基づいて推奨経路を算出する（ステップＳ２１２）。
【０１６９】
次に、経路処理装置１０１は、ナビゲーション情報を無線端末装置１５１へ送信する（ステップＳ２１４）。
【０１７０】
次に、経路処理装置１０１は、無線端末装置１５１から新たなナビゲーション要求を受信するまで待機する（ステップＳ２００でＮＯ）。
【０１７１】
なお、経路処理装置１０１は、図１６および図１７に示す各フローチャートの処理を、異なる処理として独立に実行することが可能である。
【０１７２】
［経路処理装置１０１の変形例］
経路処理システム３０１では、経路処理装置１０１における取得部３１は、運転者の無線端末装置１５１に対する入力操作に基づく目的地を無線端末装置１５１から取得する構成であるとしたが、これに限定するものではない。取得部３１が、目的地を自動で取得する構成であってもよい。
【０１７３】
取得部３１は、たとえば、算出部３２によって算出された経路特性に基づいて目的地を算出する。
【０１７４】
詳細には、取得部３１は、たとえば、無線端末装置１５１から受信するプローブ情報、および図６に示す走行履歴テーブルＴｂｌ２に基づいて目的地を算出する。
【０１７５】
より詳細には、取得部３１は、プローブ情報に基づいて、移動している無線端末装置１５１（以下、対象無線端末装置とも称する。）および時刻を特定する。
【０１７６】
取得部３１は、走行履歴テーブルＴｂｌ２を参照し、たとえば、対象無線端末装置の「日時」の履歴に基づいて、対象無線端末装置が日常的に移動している時間帯、および対応の目的地を取得する。
【０１７７】
取得部３１は、たとえば、特定した時間帯に上記時刻が含まれる場合、取得した目的地を対象無線端末装置の目的地として算出する。
【０１７８】
また、取得部３１は、たとえば、プローブ情報に基づいて、無線端末装置１５１の出発地を特定する。
【０１７９】
取得部３１は、特定した出発地、および算出した目的地を示す目的情報を作成し、作成した目的情報、および対象無線端末装置のＩＤすなわち対象ＩＤを決定部３４へ出力する。
【０１８０】
決定部３４は、取得部３１から目的情報および対象ＩＤを受けると、たとえば、受けた対象ＩＤ、および記憶部３５における走行履歴テーブルＴｂｌ２に基づいてルートポリシーを決定する。
【０１８１】
具体的には、決定部３４は、たとえば、図８に示すルートポリシー判定用テーブルＴｂｌ４において、対象ＩＤの各判定用パラメータを決定用パラメータとして取得し、取得した各決定用パラメータを含む推奨ルート決定用パラメータ情報Ｐｒ３を作成する。
【０１８２】
また、決定部３４は、記憶部３５におけるドライバ嗜好テーブルＴｂｌ３から、対象ＩＤの「嗜好」をドライバ嗜好情報として取得する。
【０１８３】
決定部３４は、推奨ルート決定用パラメータ情報Ｐｒ３、目的情報およびドライバ嗜好情報を経路計算部３３へ出力する。
【０１８４】
なお、本発明の第１の実施の形態に係る経路処理装置は、経路計算部３３を備える構成であるとしたが、これに限定するものではない。経路処理装置１０１は、経路計算部３３を備えない構成であってもよい。
【０１８５】
また、本発明の第１の実施の形態に係る経路処理装置では、経路特性は、道路種別、走行環境、嗜好および日常習慣を含んだが、これに限定するものではない。経路特性は、道路種別、走行環境、嗜好および日常習慣の一部を含んでもよい。
【０１８６】
また、本発明の第１の実施の形態に係る経路処理装置では、経路計算部３３は、ルートポリシーに基づいて、決定処理Ｐ１および決定処理Ｐ２の両方を行う構成であるとしたが、これに限定するものではない。経路計算部３３は、決定処理Ｐ１および決定処理Ｐ２のいずれか一方を行う構成であってもよい。具体的には、経路計算部３３は、決定処理Ｐ２を行わずに決定処理Ｐ１を行う場合、たとえば、コストが最も上位の上位経路を推奨経路として決定する。また、経路計算部３３は、決定処理Ｐ１を行わずに決定処理Ｐ２を行う場合、たとえば、ドライバ嗜好情報の示す運転者の「嗜好」に沿ったＰＯＩが近辺に位置する経路であって最短の経路を推奨経路として決定する。
【０１８７】
ところで、特許文献１に記載の技術を超えて、運転者にとってより有用な経路を算出するための技術が求められている。
【０１８８】
これに対して、本発明の第１の実施の形態に係る経路処理装置では、取得部３１は、車両１の出発地および目的地を示す目的情報を取得する。算出部３２は、取得部３１によって取得された目的情報、および車両１の運転者の走行履歴に基づいて、運転者の経路特性を算出する。そして、決定部３４は、算出部３２によって算出された経路特性に基づいて、車両１の経路計算におけるポリシーを決定する。
【０１８９】
このような構成により、運転者の過去の意向、過去の傾向または過去の固有の特性等を反映した経路特性に基づいて、運転者に適合するポリシーを決定することができる。これにより、たとえば、決定したポリシーに従うことで、運転者にとって有用な経路を算出することができる。したがって、運転者にとってより有用な経路を算出するための情報を提供することができる。
【０１９０】
また、本発明の第１の実施の形態に係る経路処理装置では、経路特性は、道路種別、走行環境、嗜好および日常習慣のうちの少なくともいずれか１つを含む。
【０１９１】
このような構成により、運転者の過去の意向、過去の傾向または過去の固有の特性等の経路特性への反映をより的確に行うことができる。
【０１９２】
また、本発明の第１の実施の形態に係る経路処理装置では、取得部３１は、算出部３２によって算出された経路特性に基づいて目的地を算出する。
【０１９３】
このような構成により、たとえば、運転者の過去のルート選択の傾向に基づいて目的地を自動的に算出することができるので、運転者が目的地を入力する負担を軽減することができる。
【０１９４】
また、本発明の第１の実施の形態に係る経路処理装置では、経路計算部３３は、推奨経路を決定する。経路計算部３３は、ポリシーの内容に応じた大きさの重みを用いて複数の候補経路の評価値を算出し、算出した各評価値に基づいて推奨経路を決定する決定処理Ｐ１、および経路特性に基づく経由地を含む推奨経路を決定する決定処理Ｐ２の少なくともいずれか一方を行う。
【０１９５】
このような構成により、たとえば、候補経路の特性を示すパラメータがポリシーに対応して設定されている場合において、候補経路の特性とポリシーとのマッチングの程度を示す評価値を算出することで、運転者の過去の意向、過去の傾向または過去の固有の特性等に適合した推奨経路を決定することができる。また、たとえば、嗜好等を示す経路特性に基づく経由地を含む推奨経路を決定する構成により、運転者の嗜好に適合する経由地を含む推奨経路を提供することができる。
【０１９６】
次に、本発明の他の実施の形態について図面を用いて説明する。なお、図中同一または相当部分には同一符号を付してその説明は繰り返さない。
【０１９７】
＜第２の実施の形態＞
本実施の形態は、第１の実施の形態に係る経路処理システムと比べて、サーバがさらに設けられる経路処理システムに関する。以下で説明する内容以外は第１の実施の形態に係る経路処理システムと同様である。
【０１９８】
図１８は、本発明の第２の実施の形態に係る経路処理システムの構成を示す図である。
【０１９９】
図１８を参照して、経路処理システム３０２は、経路処理装置１０２と、無線端末装置１５１と、音声内容解析サーバ１６１と、音声データ解析サーバ１６２とを備える。
【０２００】
経路処理システム３０２における無線端末装置１５１の動作は、図１に示す経路処理システム３０１における無線端末装置１５１と同様である。
【０２０１】
図１９は、本発明の第２の実施の形態に係る経路処理システムにおける無線端末装置が作成するルート決定用パラメータ情報の一例を示す図である。
【０２０２】
図１９を参照して、ルート決定用パラメータ情報Ｐｒ２１は、ドライバＩＤと優先項目のパラメータすなわち優先パラメータと状態のパラメータ（以下、状態パラメータとも称する。）と感情のパラメータ（以下、感情パラメータとも称する。）との対応関係を示す。
【０２０３】
より詳細には、優先項目のパラメータは、運転者の現在の意向を表すためのパラメータである。優先項目には、たとえば、「早さ優先」、「安さ優先」、「分かり易さ優先」、「走り易さ優先」、「乗り心地優先」および「安全優先」が含まれる。なお、優先項目には、図２に示す「渋滞感緩和優先」等の他の優先項目が含まれてもよい。また、優先項目は、上記各項目の一部であってもよい。
【０２０４】
状態パラメータは、運転者の状態の一例である「疲労度」を表すためのパラメータである。感情パラメータは、運転者の感情の一例である、「怒り度合い」、「喜び度合い」、「悲しみ度合い」および「興奮度合い」を表すためのパラメータである。
【０２０５】
再び図１８を参照して、運転者は、たとえば無線端末装置１５１に対して「少し早く帰りたい」と発話する。無線端末装置１５１は、運転者の発話を受けると、受けた発話の音声波形を示す音声情報を作成し、作成した音声情報に基づいてルート決定用パラメータ情報Ｐｒ２１を作成する。
【０２０６】
より詳細には、無線端末装置１５１は、音声情報を音声内容解析サーバ１６１および音声データ解析サーバ１６２へ無線送信する。
【０２０７】
図２０は、本発明の第２の実施の形態に係る経路処理システムにおける音声内容解析サーバにおいて行われる言語解析処理の概要を説明するための図である。
【０２０８】
図２０を参照して、音声内容解析サーバ１６１は、運転者の発話から運転者の現在の意向を抽出する言語解析処理を行う。
【０２０９】
詳細には、音声内容解析サーバ１６１は、無線端末装置１５１から音声情報を受信すると、受信した音声情報に基づいて、上述の優先項目の優先パラメータを含む意向情報、および運転者の目的地を示す目的地情報を作成する。
【０２１０】
より詳細には、音声内容解析サーバ１６１は、音声情報の示す音声波形を、運転者の発話の内容を示すテキストデータに変換する。この例では、音声内容解析サーバ１６１は、音声情報を、「少し早く帰りたい」を示すテキストデータに変換する。
【０２１１】
音声内容解析サーバ１６１は、テキストデータに対して形態素解析を行うことにより、当該テキストデータを動詞、名詞、形容詞、助動詞および助詞等の形態素に分解する。
【０２１２】
この例では、音声内容解析サーバ１６１は、名詞である「少し」、形容詞である「早く」、動詞である「帰り」、および助動詞である「たい」の４つの形態素に分解する。
【０２１３】
音声内容解析サーバ１６１は、たとえば、形態素を、翻訳し、優先項目に対応付けし、かつ目的地に関連付けするための知識データベースを用いることが可能である。
【０２１４】
この例では、音声内容解析サーバ１６１は、「少し」を「中程度」に翻訳し、パラメータ値として「３」を割り当てる。音声内容解析サーバ１６１は、「早く」を「早さ優先」の優先項目に対応付けする。
【０２１５】
音声内容解析サーバ１６１は、「帰り」を目的地としての「自宅」に関連付けする。なお、音声内容解析サーバ１６１は、テキストデータに地名が含まれている場合、当該地名を目的地として優先的に関連づけてもよい。
【０２１６】
音声内容解析サーバ１６１は、「たい」を「希望」に翻訳し、テキストデータに含まれる運転者の発話が肯定文であると判断し、目的地を「自宅」のまま維持する。一方、音声内容解析サーバ１６１は、たとえば、テキストデータに含まれる運転者の発話が否定文であると判断する場合、目的地を「自宅」以外の場所に変更する。
【０２１７】
音声内容解析サーバ１６１は、「早さ優先」の優先項目の優先パラメータが３を示す意向情報、および目的地として「自宅」を示す目的地情報を作成し、作成した意向情報および目的地情報を無線端末装置１５１へ無線送信する。
【０２１８】
図２１は、本発明の第２の実施の形態に係る経路処理システムにおける音声データ解析サーバにおいて行われる疲労度推定処理の概要を説明するための図である。
【０２１９】
図２１を参照して、音声データ解析サーバ１６２は、運転者の音声データから運転者の疲労度を推定する疲労度推定処理を行う。
【０２２０】
詳細には、音声データ解析サーバ１６２は、無線端末装置１５１から音声情報を受信すると、受信した音声情報に基づいて、上述の状態パラメータを含む状態情報を作成する。
【０２２１】
より詳細には、音声データ解析サーバ１６２は、たとえば、音声情報の示す音声波形を周波数分析し、運転者の音声の属する周波数帯に基づいて当該運転者の性別を判断する。
【０２２２】
また、音声データ解析サーバ１６２は、たとえば、非特許文献１（青木  由希、外３名、”Ｅ−０３７  音声から疲労程度を推定するスマートフォン用アプリケーションの開発”、第１２回情報科学技術フォーラム、２０１３年９月、第２分冊、Ｐ．２６９）に記載されたＳｉＳＥＣＡ（Ｓｈｉｏｍｉ’ｓ  Ｃｅｒｅｂｒａｌ  Ｅｘｐｏｎｅｎｔｓ  Ｃａｌｃｕｌａｔｉｏｎ  Ａｌｇｏｒｉｔｈｍ）を用いて、音声情報に基づいて音声の揺らぎを検出し、検出した揺らぎを定量化することにより、脳活性度指数であるＣＥＭ（Ｃｅｒｅｂｒａｌ  Ｅｘｐｏｎｅｎｔ  Ｍａｃｒｏ）値を算出する。男性のＣＥＭ値の平均および女性のＣＭＥ値の平均は、それぞれ約８７８および約７９０である。
【０２２３】
この例では、音声データ解析サーバ１６２は、運転者が男性であると判断するとともに、ＣＥＭ値として８００を算出する。
【０２２４】
音声データ解析サーバ１６２は、たとえば、性別ごとのＣＭＥ値と疲労状態との対応関係を示すＣＭＥ値対応表Ｔｂｌ２５を有しており、ＣＭＥ値対応表Ｔｂｌ２５に基づいて、「８００」のＣＭＥ値および「男性」に対応する疲労状態として「やや疲れ気味」を取得する。
【０２２５】
音声データ解析サーバ１６２は、取得した「やや疲れ気味」に応じた疲労度３を状態パラメータとして推定し、推定結果を示す状態情報を作成する。
【０２２６】
また、音声データ解析サーバ１６２は、運転者の音声データから運転者の感情を推定する感情推定処理を行う。
【０２２７】
詳細には、音声データ解析サーバ１６２は、音声情報に基づいて、上述の感情パラメータを含む感情情報を作成する。
【０２２８】
より詳細には、音声データ解析サーバ１６２は、たとえば、非特許文献２（光吉  俊二、外２名、”音声感情認識技術ＳＴを使ったストレスへの応用”、日本疲労学会誌、２０１１年３月、第６巻、第２号、Ｐ．１９−２７）に記載された音声感情分析手段（Ｓｅｎｓｉｂｉｌｉｔｙ  Ｔｅｃｈｎｏｌｏｇｙ）を用いて、運転者の怒り、喜び、悲しみおよび興奮等の感情の度合いを数値化する。
【０２２９】
この例では、音声データ解析サーバ１６２は、怒り度合い、喜び度合い、悲しみ度合いおよび興奮度合いとして、それぞれ１、１、１および２を算出し、算出した結果を含む感情情報を作成する。
【０２３０】
音声データ解析サーバ１６２は、作成した状態情報および感情情報を無線端末装置１５１へ無線送信する。
【０２３１】
再び図１８を参照して、無線端末装置１５１は、意向情報および目的地情報を音声内容解析サーバ１６１から受信し、かつ状態情報および感情情報を音声データ解析サーバ１６２から受信して、受信した意向情報、状態情報および感情情報からルート決定用パラメータ情報Ｐｒ２１（図１９参照）を作成する。
【０２３２】
また、無線端末装置１５１は、ＧＰＳ衛星からの電波に基づいて、車両１の出発地を特定し、特定した出発地、および目的地情報から目的情報を作成する。
【０２３３】
無線端末装置１５１は、ルート決定用パラメータ情報Ｐｒ２１および目的情報を含むナビゲーション要求を経路処理装置１０２へ無線送信する。
【０２３４】
［経路処理装置の構成］
図２２は、本発明の第２の実施の形態に係る経路処理システムにおける経路処理装置の構成を示す図である。
【０２３５】
図２２を参照して、経路処理装置１０２は、取得部３１と、算出部３２と、経路計算部３３と、記憶部３５と、送信部３６と、履歴登録部３７と、決定部４４とを備える。
【０２３６】
経路処理装置１０２における取得部３１、算出部３２、経路計算部３３、記憶部３５、送信部３６および履歴登録部３７の動作は、図３に示す経路処理装置１０１における取得部３１、算出部３２、経路計算部３３、記憶部３５、送信部３６および履歴登録部３７とそれぞれ同様である。
【０２３７】
取得部３１は、たとえば、運転者の意向を示す意向情報、運転者の状態を示す状態情報、運転者の感情を示す感情情報、および目的情報を取得する。
【０２３８】
より詳細には、取得部３１は、ナビゲーション要求を無線端末装置１５１から受信すると、受信したナビゲーション要求を決定部４４および履歴登録部３７へ出力する。
【０２３９】
図２３は、本発明の第２の実施の形態に係る経路処理装置における算出部が作成するドライバ傾向パラメータ情報の一例を示す図である。
【０２４０】
図２３を参照して、算出部３２は、たとえば、運転者の経路特性、具体的には走行履歴テーブルＴｂｌ２（図６参照）に基づいて、当該運転者のルート選択の傾向を示すドライバ傾向パラメータ情報Ｐｒ２２を作成する。
【０２４１】
より詳細には、算出部３２は、たとえば、図８に示すルートポリシー判定用テーブルＴｂｌ４において、「エコ優先」および「渋滞感緩和優先」の項目の代わりに「走り易さ優先」の項目を含むルートポリシー判定用テーブルを作成する。
【０２４２】
当該ルートポリシー判定用テーブルにおいて、あるドライバＩＤに対応する「早さ優先」、「安さ優先」、「分かり易さ優先」、「走り易さ優先」、「乗り心地優先」および「安全優先」の項目のパラメータがドライバ傾向パラメータである。
【０２４３】
この例では、ドライバ傾向パラメータ情報Ｐｒ２２は、ナビゲーション要求に含まれるドライバＩＤについてのドライバ傾向パラメータである。具体的には、「早さ優先」、「安さ優先」、「分かり易さ優先」、「走り易さ優先」、「乗り心地優先」および「安全優先」の項目のドライバ傾向パラメータは、それぞれ１、４、３、４、２および２である。
【０２４４】
図２４および図２５は、本発明の第２の実施の形態に係る経路処理装置における記憶部が保持する発話内容傾斜係数表の一例を示す図である。
【０２４５】
図２４および図２５を参照して、発話内容傾斜係数表Ｔｂｌ２１，Ｔｂｌ２２は、たとえば、経路処理装置１０２の管理者によって予め作成されるテーブルであり、優先項目とドライバ傾向パラメータに対する傾斜係数との対応関係を示す。
【０２４６】
図２６および図２７は、本発明の第２の実施の形態に係る経路処理装置における記憶部が保持する状態感情傾斜係数表の一例を示す図である。
【０２４７】
図２６および図２７を参照して、状態感情傾斜係数表Ｔｂｌ２３，Ｔｂｌ２４は、たとえば、経路処理装置１０２の管理者によって予め作成されるテーブルであり、優先項目とドライバ傾向パラメータに対する傾斜係数との対応関係を示す。発話内容傾斜係数表Ｔｂｌ２１，Ｔｂｌ２２および状態感情傾斜係数表Ｔｂｌ２３，Ｔｂｌ２４の使用例については、後述する。
【０２４８】
再び図２２を参照して、決定部４４は、たとえば、算出部３２によって算出された経路特性、ならびに取得部３１によって取得された意向情報、状態情報および感情情報に基づいて、車両１の経路計算におけるルートポリシーを決定する。
【０２４９】
詳細には、決定部４４は、たとえば、取得部３１からナビゲーション要求を受けると、受けたナビゲーション要求からドライバＩＤすなわち対象ＩＤ、ルート決定用パラメータ情報Ｐｒ２１（図１９参照）および目的情報を取得する。
【０２５０】
図２８は、本発明の第２の実施の形態に係る経路処理装置における決定部が作成する意向反映パラメータ情報の一例を示す図である。
【０２５１】
図２８を参照して、決定部４４は、所定条件Ｃ１を満たす場合、記憶部３５における発話内容傾斜係数表Ｔｂｌ２１（図２４参照）を用いて、ルート決定用パラメータ情報Ｐｒ２１およびドライバ傾向パラメータ情報Ｐｒ２２（図２３参照）に基づいて、意向反映パラメータを含む意向反映パラメータ情報Ｐｒ２３を作成する。
【０２５２】
ここで、所定条件Ｃ１は、たとえば、ルート決定用パラメータ情報Ｐｒ２１における優先項目において、各優先パラメータのうちの少なくともいずれか１つが所定のしきい値Ｔｈ１以上、具体的には３以上であることである。
【０２５３】
より詳細には、決定部４４は、ルート決定用パラメータ情報Ｐｒ２１において、「早さ優先」の項目の優先パラメータが３であることを認識すると、所定条件Ｃ１が満たされたと判断し、「早さ優先」の項目をメイン項目として決定する。
【０２５４】
なお、決定部４４は、たとえば、２つ以上の項目において３以上の優先パラメータが存在する場合、最大の優先パラメータの項目を検索する。
【０２５５】
決定部４４は、たとえば、検索した項目数が１つである場合、当該項目をメイン項目として決定する。一方、決定部４４は、たとえば、検索した項目数が複数の場合、すなわち同じ最大値の優先パラメータの項目が複数存在する場合、ドライバ傾向パラメータ情報Ｐｒ２２を参照して対応の項目のドライバ傾向パラメータ同士を比較し、ドライバ傾向パラメータのより大きい項目をメイン項目として決定する。
【０２５６】
決定部４４は、記憶部３５が保持する発話内容傾斜係数表Ｔｂｌ２１からメイン項目すなわち「早さ優先」の優先項目に対応する各傾斜係数を取得するとともに、算出部３２からドライバ傾向パラメータ情報Ｐｒ２２を取得する。
【０２５７】
決定部４４は、メイン項目が「早さ優先」であるので、ルート決定用パラメータ情報Ｐｒ２１における「早さ優先」の優先パラメータすなわち３を「早さ優先」の意向反映パラメータとして決定する。
【０２５８】
また、決定部４４は、意向反映パラメータ情報Ｐｒ２３におけるメイン項目以外の項目すなわち「安さ優先」、「分かり易さ優先」、「走り易さ優先」、「乗り心地優先」および「安全優先」の項目についての意向反映パラメータを以下のように決定する。
【０２５９】
すなわち、決定部４４は、ドライバ傾向パラメータ情報Ｐｒ２２における「安さ優先」のドライバ傾向パラメータすなわち４と、発話内容傾斜係数表Ｔｂｌ２１におけるメイン項目すなわち「早さ優先」の優先項目に対応する各傾斜係数のうちの「安さ優先」の項目の傾斜係数である０．５とを乗じて２を算出する。決定部４４は、算出した値を「安さ優先」の意向反映パラメータとして決定する。
【０２６０】
また、決定部４４は、ドライバ傾向パラメータ情報Ｐｒ２２における「分かり易さ優先」のドライバ傾向パラメータすなわち３と、発話内容傾斜係数表Ｔｂｌ２１におけるメイン項目に対応する各傾斜係数のうちの「分かり易さ優先」の項目の傾斜係数である０．２とを乗じて０．６を算出する。そして、決定部４４は、算出した０．６が整数でないので０．６を四捨五入して１を算出し、算出した値を「分かり易さ優先」の意向反映パラメータとして決定する。
【０２６１】
また、決定部４４は、ドライバ傾向パラメータ情報Ｐｒ２２における「走り易さ優先」のドライバ傾向パラメータすなわち４と、発話内容傾斜係数表Ｔｂｌ２１におけるメイン項目に対応する各傾斜係数のうちの「走り易さ優先」の項目の傾斜係数である０．２とを乗じて０．８を算出する。そして、決定部４４は、算出した０．８が整数でないので０．８を四捨五入して１を算出し、算出した値を「走り易さ優先」の意向反映パラメータとして決定する。
【０２６２】
また、決定部４４は、ドライバ傾向パラメータ情報Ｐｒ２２における「乗り心地優先」のドライバ傾向パラメータすなわち２と、発話内容傾斜係数表Ｔｂｌ２１におけるメイン項目に対応する各傾斜係数のうちの「乗り心地優先」の項目の傾斜係数である０．２とを乗じて０．４を算出する。そして、決定部４４は、算出した０．４が整数でないので０．４を四捨五入してゼロを算出し、算出した値を「乗り心地優先」の意向反映パラメータとして決定する。
【０２６３】
また、決定部４４は、ドライバ傾向パラメータ情報Ｐｒ２２における「安全優先」のドライバ傾向パラメータすなわち２と、発話内容傾斜係数表Ｔｂｌ２１におけるメイン項目に対応する各傾斜係数のうちの「安全優先」の項目の傾斜係数である０．５とを乗じて１を算出する。決定部４４は、算出した値を「安全優先」の意向反映パラメータとして決定する。これにより、図２８に示す意向反映パラメータ情報Ｐｒ２３が作成される。
【０２６４】
図２９は、本発明の第２の実施の形態に係る経路処理装置における決定部が作成する意向反映パラメータ情報の一例を示す図である。
【０２６５】
図２９を参照して、たとえば、無線端末装置１５１が「安全優先」の優先項目の優先パラメータが４を示す意向情報を受信した場合、図１９に示すルート決定用パラメータ情報Ｐｒ２１と異なり、ルート決定用パラメータ情報における「早さ優先」、「安さ優先」、「分かり易さ優先」、「走り易さ優先」、「乗り心地優先」および「安全優先」の優先項目の優先パラメータは、たとえば、それぞれ０、０、０、０、０および４となる。
【０２６６】
この場合、決定部４４は、「安全優先」の項目の優先パラメータが４であることを認識すると、所定条件Ｃ１が満たされたと判断し、「安全優先」の項目をメイン項目として決定する。
【０２６７】
決定部４４は、発話内容傾斜係数表Ｔｂｌ２１におけるメイン項目すなわち「安全優先」の優先項目に対応する各傾斜係数、およびドライバ傾向パラメータ情報Ｐｒ２２に基づいて意向反映パラメータを決定する。
【０２６８】
具体的には、決定部４４は、メイン項目が「安全優先」であるので、ルート決定用パラメータ情報における「安全優先」の優先パラメータすなわち４を「安全優先」の意向反映パラメータとして決定する。
【０２６９】
また、決定部４４は、「早さ優先」の意向反映パラメータを、傾斜係数であるゼロとドライバ傾向パラメータである１とを乗じた値であるゼロに決定する。
【０２７０】
また、決定部４４は、「安さ優先」の意向反映パラメータを、傾斜係数であるゼロとドライバ傾向パラメータである４とを乗じた値であるゼロに決定する。
【０２７１】
また、決定部４４は、「分かり易さ優先」の意向反映パラメータを、傾斜係数であるゼロとドライバ傾向パラメータである３とを乗じた値であるゼロに決定する。
【０２７２】
また、決定部４４は、「走り易さ優先」の意向反映パラメータを、傾斜係数である０．５とドライバ傾向パラメータである４とを乗じた値である２に決定する。
【０２７３】
また、決定部４４は、「乗り心地優先」の意向反映パラメータを、傾斜係数であるゼロとドライバ傾向パラメータである２とを乗じた値であるゼロに決定する。これにより、図２９に示す意向反映パラメータ情報Ｐｒ２４が作成される。
【０２７４】
一方、決定部４４は、ルート決定用パラメータ情報における優先項目おいて、図１９に示す場合と異なり、所定条件Ｃ１を満たさない場合、以下の処理を行う。
【０２７５】
すなわち、決定部４４は、記憶部３５における発話内容傾斜係数表Ｔｂｌ２２（図２５参照）を用いて、ルート決定用パラメータ情報およびドライバ傾向パラメータ情報Ｐｒ２２に基づいて、図示しない意向反映パラメータ情報を作成する。
【０２７６】
この場合、決定部４４は、図２８および図２９にそれぞれ示す意向反映パラメータ情報Ｐｒ２３およびＰｒ２４の作成方法と同様の作成方法を用いて上記意向反映パラメータ情報を作成する。
【０２７７】
図３０は、本発明の第２の実施の形態に係る経路処理装置における決定部が作成する状態感情反映パラメータ情報の一例を示す図である。
【０２７８】
図３０を参照して、決定部４４は、所定条件Ｃ２を満たす場合、記憶部３５における状態感情傾斜係数表Ｔｂｌ２３（図２６参照）を用いて、ルート決定用パラメータ情報Ｐｒ２１（図１９参照）およびドライバ傾向パラメータ情報Ｐｒ２２（図２３参照）に基づいて、状態感情反映パラメータを含む状態感情反映パラメータ情報Ｐｒ２５を作成する。
【０２７９】
ここで、所定条件Ｃ２は、たとえば、ルート決定用パラメータ情報Ｐｒ２１における状態および感情の項目において、疲労度、怒り度合いまたは興奮度合いについての各パラメータのうちの少なくともいずれか１つが、所定のしきい値Ｔｈ２以上かつ所定のしきい値Ｔｈ３より小さいことである。ここで、しきい値Ｔｈ２およびＴｈ３は、たとえばそれぞれ３および４である。
【０２８０】
この例では、決定部４４は、ルート決定用パラメータ情報Ｐｒ２１において、「状態」の項目の疲労度についての状態パラメータが３であることを認識すると、所定条件Ｃ２が満たされたと判断し、「安全優先」の項目をメイン項目として決定する。
【０２８１】
決定部４４は、記憶部３５が保持する状態感情傾斜係数表Ｔｂｌ２３からメイン項目すなわち「安全優先」の優先項目に対応する各傾斜係数を取得するとともに、算出部３２からドライバ傾向パラメータ情報Ｐｒ２２を取得する。
【０２８２】
決定部４４は、状態感情傾斜係数表Ｔｂｌ２３に従って、状態感情反映パラメータ情報Ｐｒ２５における「安全優先」の項目の状態感情反映パラメータとして所定値、具体的には３を決定する。
【０２８３】
また、決定部４４は、状態感情反映パラメータ情報Ｐｒ２５におけるメイン項目以外の項目すなわち「早さ優先」、「安さ優先」「分かり易さ優先」、「走り易さ優先」および「乗り心地優先」の項目についての状態感情反映パラメータを以下のように決定する。
【０２８４】
すなわち、決定部４４は、ドライバ傾向パラメータ情報Ｐｒ２２における「早さ優先」のドライバ傾向パラメータすなわち１と、状態感情傾斜係数表Ｔｂｌ２３におけるメイン項目すなわち「安全優先」の優先項目に対応する各傾斜係数のうちの「早さ優先」の項目の傾斜係数であるゼロとを乗じてゼロを算出する。決定部４４は、算出した値を「早さ優先」の状態感情反映パラメータとして決定する。
【０２８５】
また、決定部４４は、ドライバ傾向パラメータ情報Ｐｒ２２における「安さ優先」のドライバ傾向パラメータすなわち４と、状態感情傾斜係数表Ｔｂｌ２３におけるメイン項目に対応する各傾斜係数のうちの「安さ優先」の項目の傾斜係数であるゼロとを乗じてゼロを算出する。決定部４４は、算出した値を「安さ優先」の状態感情反映パラメータとして決定する。
【０２８６】
また、決定部４４は、ドライバ傾向パラメータ情報Ｐｒ２２における「分かり易さ優先」のドライバ傾向パラメータすなわち３と、状態感情傾斜係数表Ｔｂｌ２３におけるメイン項目に対応する各傾斜係数のうちの「分かり易さ優先」の項目の傾斜係数であるゼロとを乗じてゼロを算出する。決定部４４は、算出した値を「分かり易さ優先」の状態感情反映パラメータとして決定する。
【０２８７】
また、決定部４４は、ドライバ傾向パラメータ情報Ｐｒ２２における「走り易さ優先」のドライバ傾向パラメータすなわち４と、状態感情傾斜係数表Ｔｂｌ２３におけるメイン項目に対応する各傾斜係数のうちの「走り易さ優先」の項目の傾斜係数である０．５とを乗じて２を算出する。決定部４４は、算出した値を「走り易さ優先」の状態感情反映パラメータとして決定する。
【０２８８】
また、決定部４４は、ドライバ傾向パラメータ情報Ｐｒ２２における「乗り心地優先」のドライバ傾向パラメータすなわち２と、状態感情傾斜係数表Ｔｂｌ２３におけるメイン項目に対応する各傾斜係数のうちの「乗り心地優先」の項目の傾斜係数であるゼロとを乗じてゼロを算出する。決定部４４は、算出した値を「乗り心地優先」の状態感情反映パラメータとして決定する。
【０２８９】
また、決定部４４は、ルート決定用パラメータ情報における優先項目おいて、図１９に示す場合と異なり、所定条件Ｃ３を満たす場合、記憶部３５における状態感情傾斜係数表Ｔｂｌ２４（図２７参照）を用いて、ルート決定用パラメータ情報Ｐｒ２１およびドライバ傾向パラメータ情報Ｐｒ２２に基づいて状態感情反映パラメータ情報を作成する。
【０２９０】
ここで、所定条件Ｃ３は、たとえば、ルート決定用パラメータ情報Ｐｒ２１における状態および感情の項目において、疲労度、怒り度合いまたは興奮度合いについての各パラメータのうちの少なくともいずれか１つが、所定のしきい値Ｔｈ３すなわち４以上であることである。
【０２９１】
この場合、決定部４４は、図３０に示す状態感情反映パラメータ情報Ｐｒ２５の作成方法と同様の作成方法を用いて上記状態感情反映パラメータ情報を作成する。
【０２９２】
また、決定部４４は、ルート決定用パラメータ情報における優先項目おいて、図１９に示す場合と異なり、所定条件Ｃ２およびＣ３を満たさない場合、状態感情反映パラメータ情報を作成しない。
【０２９３】
再び図２２を参照して、決定部４４は、記憶部３５におけるドライバ嗜好テーブルＴｂｌ３（図７参照）から、対象ＩＤの「嗜好」をドライバ嗜好情報として取得する。
【０２９４】
決定部４４は、推奨ルート決定用パラメータ情報としての意向反映パラメータ情報Ｐｒ２３および状態感情反映パラメータ情報Ｐｒ２５、ならびに目的情報およびドライバ嗜好情報を経路計算部３３へ出力する。
【０２９５】
また、決定部４４は、決定ルートポリシーを未加工走行履歴テーブルＴｂｌ１（図５参照）に登録するために、意向反映パラメータ情報Ｐｒ２３および状態感情反映パラメータ情報Ｐｒ２５を推奨ルート決定用パラメータ情報として履歴登録部３７へ出力する。
【０２９６】
再び図１１を参照して、経路計算部３３は、決定部４４から意向反映パラメータ情報Ｐｒ２３、状態感情反映パラメータ情報Ｐｒ２５、目的情報およびドライバ嗜好情報を受けると、目的情報および地図データに基づいて、出発地Ａから目的地Ｉまでの複数の候補経路を導出する。
【０２９７】
この場合、各リンクでは、さらに、走り易さ優先についての設定コストが割り当てられているとする。
【０２９８】
経路計算部３３は、意向反映パラメータ情報Ｐｒ２３に基づいて、導出した複数の候補経路についてのコストをそれぞれ算出し、たとえば最上位のコストの候補経路を運転者の意向を反映した推奨経路（以下、意向反映推奨経路とも称する。）として決定する。
【０２９９】
なお、経路計算部３３は、たとえば、地図データおよびドライバ嗜好情報に基づいて、当該コストが上位から所定順位以内の候補経路すなわち上位経路の近辺において嗜好ＰＯＩが位置する場合、嗜好ＰＯＩが近辺に位置する上位経路を意向反映推奨経路として決定してもよい。
【０３００】
また、経路計算部３３は、状態感情反映パラメータ情報Ｐｒ２５に基づいて、上記複数の候補経路についてのコストをそれぞれ算出し、たとえば最上位のコストの候補経路を運転者の状態および感情を反映した推奨経路（以下、状態感情反映推奨経路とも称する。）として決定する。
【０３０１】
なお、経路計算部３３は、たとえば、地図データおよびドライバ嗜好情報に基づいて、当該コストが上位から所定順位以内の候補経路すなわち上位経路の近辺において嗜好ＰＯＩが位置する場合、嗜好ＰＯＩが近辺に位置する上位経路を状態感情反映推奨経路として決定してもよい。
【０３０２】
経路計算部３３は、意向反映推奨経路および状態感情反映推奨経路、ならびにこれらの推奨経路を決定した理由およびコメント等を示す発話情報を含むナビゲーション情報を送信部３６へ出力する。
【０３０３】
この場合、理由およびコメントは、たとえば、「いつもより２０分速いルートにしました。少しお疲れのようなので交通量の少ない高速ルートです。」である。
【０３０４】
また、経路計算部３３は、意向反映推奨経路および状態感情反映推奨経路を未加工走行履歴テーブルＴｂｌ１（図５参照）に登録するために、決定した意向反映推奨経路および状態感情反映推奨経路を示す推奨経路情報を履歴登録部３７へ出力する。
【０３０５】
送信部３６は、経路計算部３３からナビゲーション情報を受けると、受けたナビゲーション情報を無線端末装置１５１へ無線送信する。
【０３０６】
［動作の流れ］
図３１は、本発明の第２の実施の形態に係る経路処理システムにおける経路処理装置がナビゲーション情報の作成処理を行う際の動作手順を定めたフローチャートである。
【０３０７】
図３１を参照して、まず、経路処理装置１０２は、車両１における無線端末装置１５１からナビゲーション要求を受信するまで待機する（ステップＳ３００でＮＯ）。
【０３０８】
そして、経路処理装置１０２は、ナビゲーション要求を無線端末装置１５１から受信すると（ステップＳ３００でＹＥＳ）、受信したナビゲーション要求に含まれるルート決定用パラメータ情報Ｐｒ２１に基づいて、所定条件Ｃ１を満たすか否かを判定する（ステップＳ３０２）。
【０３０９】
次に、経路処理装置１０２は、所定条件Ｃ１を満たすと判定した場合（ステップＳ３０２でＹＥＳ）、発話内容傾斜係数表Ｔｂｌ２１を用いて、ルート決定用パラメータ情報Ｐｒ２１およびドライバ傾向パラメータ情報Ｐｒ２２に基づいて意向反映パラメータ情報を作成する（ステップＳ３０６）。
【０３１０】
一方、経路処理装置１０２は、所定条件Ｃ１を満たさないと判定した場合（ステップＳ３０２でＮＯ）、発話内容傾斜係数表Ｔｂｌ２２を用いて、ルート決定用パラメータ情報Ｐｒ２１およびドライバ傾向パラメータ情報Ｐｒ２２に基づいて意向反映パラメータ情報を作成する（ステップＳ３０４）。
【０３１１】
次に、経路処理装置１０２は、意向反映パラメータ情報を作成すると（ステップＳ３０４およびＳ３０６）、ルート決定用パラメータ情報Ｐｒ２１に基づいて、所定条件Ｃ２を満たすか否かを判定する（ステップＳ３０８）。
【０３１２】
次に、経路処理装置１０２は、所定条件Ｃ２を満たすと判定した場合（ステップＳ３０８でＹＥＳ）、状態感情傾斜係数表Ｔｂｌ２３を用いて、ルート決定用パラメータ情報Ｐｒ２１およびドライバ傾向パラメータ情報Ｐｒ２２に基づいて状態感情反映パラメータ情報を作成する（ステップＳ３１０）。
【０３１３】
一方、経路処理装置１０２は、所定条件Ｃ２を満たさないが所定条件Ｃ３を満たすと判定した場合（ステップＳ３０８でＮＯおよびステップＳ３１２でＹＥＳ）、状態感情傾斜係数表Ｔｂｌ２４を用いて、ルート決定用パラメータ情報Ｐｒ２１およびドライバ傾向パラメータ情報Ｐｒ２２に基づいて状態感情反映パラメータ情報を作成する（ステップＳ３１４）。
【０３１４】
次に、経路処理装置１０２は、状態感情反映パラメータ情報を作成すると（ステップＳ３１０およびＳ３１４）、意向反映パラメータ情報、状態感情反映パラメータ情報、目的情報、ドライバ嗜好情報および地図データに基づいて意向反映推奨経路および状態感情反映推奨経路を算出する（ステップＳ３１８）。
【０３１５】
また、経路処理装置１０２は、所定条件Ｃ２およびＣ３の両方を満たさないと判定すると（ステップＳ３０８でＮＯおよびステップＳ３１２でＮＯ）、意向反映パラメータ情報、目的情報、ドライバ嗜好情報および地図データに基づいて意向反映推奨経路を算出する（ステップＳ３１６）。
【０３１６】
次に、経路処理装置１０２は、意向反映推奨経路および状態感情反映推奨経路を算出するか（ステップＳ３１８）、または意向反映推奨経路を算出すると（ステップＳ３１６）、ナビゲーション情報を無線端末装置１５１へ送信する（ステップＳ３２０）。
【０３１７】
次に、経路処理装置１０２は、無線端末装置１５１から新たなナビゲーション要求を受信するまで待機する（ステップＳ３００でＮＯ）。
【０３１８】
なお、経路処理装置１０２は、上記ステップＳ３０４において、発話内容傾斜係数表Ｔｂｌ２２を用いて、ルート決定用パラメータ情報Ｐｒ２１およびドライバ傾向パラメータ情報Ｐｒ２２に基づいて意向反映パラメータ情報を作成する構成であるとしたが、これに限定するものではない。
【０３１９】
経路処理装置１０２は、ルート決定用パラメータ情報Ｐｒ２１における優先項目における各優先パラメータをそのまま意向反映パラメータ情報として作成する構成であってもよいし、ドライバ傾向パラメータ情報Ｐｒ２２における各ドライバ傾向パラメータをそのまま意向反映パラメータ情報として作成する構成であってもよい。
【０３２０】
また、本発明の第２の実施の形態に係る経路処理装置では、取得部３１は、意向情報、状態情報、感情方法および目的情報を取得する構成であるとしたが、これに限定するものではない。取得部３１は、意向情報、状態情報および感情情報の一部と目的情報とを取得する構成であってもよい。
【０３２１】
また、本発明の第２の実施の形態に係る経路処理装置では、決定部４４は、意向情報、状態情報、感情情報および経路特性に基づいて、車両１の経路計算におけるルートポリシーを決定する構成であるとしたが、これに限定するものではない。決定部４４は、意向情報、状態情報および感情情報の一部と経路特性とに基づいて上記ルートポリシーを決定する構成であってもよい。
【０３２２】
また、本発明の第２の実施の形態に係る経路処理システムは、言語解析処理を行う音声内容解析サーバ１６１、ならびに疲労度推定処理および感情推定処理を行う音声データ解析サーバ１６２を備える構成であるとしたが、これに限定するものではない。経路処理システム３０２は、音声内容解析サーバ１６１および音声データ解析サーバ１６２を備えない構成であってもよい。この場合、たとえば、経路処理装置１０２が、無線端末装置１５１から送信された音声情報に基づいて、言語解析処理、疲労度推定処理および感情推定処理を行う。また、経路処理システム３０２は、言語解析処理、疲労度推定処理および感情推定処理を行う１つのサーバを備える構成であってもよい。これにより、無線端末装置１５１は、当該１つのサーバへ音声情報を無線送信すればよいので、音声内容解析サーバ１６１および音声データ解析サーバ１６２の各々に音声情報を無線送信する構成と比べて、無線端末装置１５１が無線送信するデータ量を削減することができる。
【０３２３】
また、本発明の第２の実施の形態に係る経路処理システムでは、無線端末装置１５１は、音声情報を音声内容解析サーバ１６１へ無線送信する構成であるとしたが、これに限定するものではない。無線端末装置１５１は、音声情報の示す音声波形を、運転者の発話の内容を示すテキストデータに変換し、当該テキストデータを示す情報を音声内容解析サーバ１６１へ無線送信する構成であってもよい。これにより、無線端末装置１５１から音声内容解析サーバ１６１へ無線送信されるデータ量を削減することができる。
【０３２４】
以上のように、本発明の第２の実施の形態に係る経路処理装置では、取得部３１は、運転者の意向を示す意向情報、および車両１の出発地および目的地を示す目的情報を取得する。決定部４４は、算出部３２によって算出された経路特性、および取得部３１によって取得された意向情報に基づいて、車両１の経路計算におけるポリシーを決定する。
【０３２５】
このような構成により、たとえば、運転者の現在の意向をポリシーに反映させることができるので、当該ポリシーに従うことで、運転者の意向に沿ったより有用な経路を算出することができる。
【０３２６】
また、本発明の第２の実施の形態に係る経路処理装置では、取得部３１は、運転者の状態を示す状態情報、および車両１の出発地および目的地を示す目的情報を取得する。決定部４４は、算出部３２によって算出された経路特性、および取得部３１によって取得された状態情報に基づいて、車両１の経路計算におけるポリシーを決定する。
【０３２７】
このような構成により、たとえば、運転者の現在の疲労度合い等の状態をポリシーに反映させることができるので、当該ポリシーに従うことで、運転者の状態に応じたより有用な経路を算出することができる。
【０３２８】
また、本発明の第２の実施の形態に係る経路処理装置では、取得部３１は、運転者の感情を示す感情情報、および車両１の出発地および目的地を示す目的情報を取得する。決定部４４は、算出部３２によって算出された経路特性、および取得部３１によって取得された感情情報に基づいて、車両１の経路計算におけるポリシーを決定する。
【０３２９】
このような構成により、たとえば、運転者の現在の怒り度合い、喜び度合い、悲しみ度合いおよび興奮度合い等の感情をポリシーに反映させることができるので、当該ポリシーに従うことで、運転者の感情に応じたより有用な経路を算出することができる。
【０３３０】
その他の構成および動作は第１の実施の形態に係る経路処理システムと同様であるため、ここでは詳細な説明を繰り返さない。
【０３３１】
なお、本発明の第１の実施の形態および第２の実施の形態に係る各装置の構成要素および動作のうち、一部または全部を適宜組み合わせることも可能である。
【０３３２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３３３】
以上の説明は、以下に付記する特徴を含む。
【０３３４】
［付記１］
車両の出発地および目的地を示す目的情報を取得する取得部と、
前記取得部によって取得された前記目的情報、および前記車両の運転者の走行履歴に基づいて、前記運転者の経路特性を算出する算出部と、
前記算出部によって算出された前記経路特性に基づいて、前記車両の経路計算におけるポリシーを決定する決定部とを備え、
前記取得部は、さらに、前記運転者の現在の意向、現在の傾向および現在の固有の特性の少なくともいずれか１つを示すルート決定用パラメータ情報を取得し、
前記算出部は、前記経路特性に基づいて、前記運転者の過去の意向、過去の傾向および過去の固有の特性の少なくともいずれか１つを示すルートポリシー判定用テーブルを作成し、
前記決定部は、前記取得部によって取得された前記ルート決定用パラメータ情報、および前記算出部によって作成されたルートポリシー判定用テーブルに基づいて、前記ポリシーを決定する、経路処理装置。
【符号の説明】
【０３３５】
１  車両
３１  取得部
３２  算出部
３３  経路計算部
３４  決定部
３５  記憶部
３６  送信部
３７  履歴登録部
４４  決定部
１０１，１０２  経路処理装置
１５１  無線端末装置
１６１  音声内容解析サーバ
１６２  音声データ解析サーバ
３０１，３０２  経路処理システム
【図１】
2018077207.tif 000003
【図２】
2018077207.tif 000004
【図３】
2018077207.tif 000005
【図４】
2018077207.tif 000006
【図５】
2018077207.tif 000007
【図６】
2018077207.tif 000008
【図７】
2018077207.tif 000009
【図８】
2018077207.tif 000010
【図９】
2018077207.tif 000011
【図１０】
2018077207.tif 000012
【図１１】
2018077207.tif 000013
【図１２】
2018077207.tif 000014
【図１３】
2018077207.tif 000015
【図１４】
2018077207.tif 000016
【図１５】
2018077207.tif 000017
【図１６】
2018077207.tif 000018
【図１７】
2018077207.tif 000019
【図１８】
2018077207.tif 000020
【図１９】
2018077207.tif 000021
【図２０】
2018077207.tif 000022
【図２１】
2018077207.tif 000023
【図２２】
2018077207.tif 000024
【図２３】
2018077207.tif 000025
【図２４】
2018077207.tif 000026
【図２５】
2018077207.tif 000027
【図２６】
2018077207.tif 000028
【図２７】
2018077207.tif 000029
【図２８】
2018077207.tif 000030
【図２９】
2018077207.tif 000031
【図３０】
2018077207.tif 000032
【図３１】
2018077207.tif 000033